(57)【特許請求の範囲】
【請求項１】
景品交換システムにて取り扱われるＩＣチップが設けられた特殊景品をデータベースに登録して管理する景品管理装置と、遊技客が獲得した遊技媒体の数量に応じて特殊景品の払い出しを行う景品払い出し装置と、前記特殊景品の正当性を前記景品管理装置に問い合わせ、必要であれば、前記特殊景品の代替となる特殊景品と交換する景品検査装置とがネットワーク接続されて遊技場内に設置され、前記特殊景品払い出し装置にて払い出しが行われた前記特殊景品の買い取り処理を行う景品買い取り装置が景品交換場に設置され、前記特殊景品の流通状況、在庫状況を一元管理する景品管理システムにおいて、
前記景品管理装置は、
前記特殊景品のＩＣチップに記録された固有識別情報、価値情報、景品の固有識別情報および、前記景品払い出し装置にて払い出しが行われた前記特殊景品の払い出し日時を記憶して管理する景品管理情報記憶手段と、
前記景品払い出し装置および前記景品検査装置との間にてデータ通信を行う通信手段と
を具備し、
前記景品払い出し装置は、
前記特殊景品の前記ＩＣチップに、払い出し日時、払い出し済みを示す情報の書込みを行うＩＣチップ書込み手段と、
前記景品管理装置にネットワークを介して接続してデータ通信を行う通信手段と、
前記ＩＣチップ書込み手段にて書込みを行った情報の前記景品管理情報記憶手段への登録を前記通信手段にて指示する登録指示手段と
を具備し、
前記景品買い取り装置は、
前記特殊景品のＩＣチップに記録されたデータの読み取り処理を行うＩＣチップ読み取り手段と、
前記景品管理装置に対して、前記ＩＣチップ読み取り手段にて読み取った前記データを前記ネットワークを介して送信し、該送信したデータを記録した特殊景品の真偽を問合せする問合せ手段と、
前記問合せ手段による真偽の結果を前記景品管理装置から受信して、該問合せを行った特殊景品が買い取り可能か否かを判断する買い取り可否判別手段と、
前記買い取り可否判別手段にて買い取りが可能であると判断した場合は、買い取りを行う特殊景品の価値に相当する額の貨幣を払い出し、該買い取りを行う特殊景品のＩＣチップに買い取り済み、買い取りを行った日時を示す情報を書き込む買い取り手段と
を具備し、
前記景品検査装置は、
前記景品買い取り装置で買い取りが出来なかった前記特殊景品のＩＣチップに記録されたデータの読み取り処理を行うＩＣチップ読み取り手段と、
前記ＩＣチップ読み取り手段に読み取った情報を前記景品管理装置に送信して前記特殊景品の真偽を問い合わせる問合せ手段と、
前記問合せ手段による問い合わせの結果を前記景品管理装置から受信して表示する問合せ結果表示手段と
を具備することを特徴とする景品管理システム。
【請求項２】
前記景品検査装置は、
前記問合せ手段にて問い合わせた結果、「真」と判別された場合、前記買い取り装置で買い取りが出来なかった当該特殊景品と同一の価値を有して１対１に代替対応する特殊景品の払い出し要求操作を検知し、前記景品払い出し装置に対して代替特殊景品の払い出しを指示する代替特殊景品払い出し指示手段と
さらに具備する
ことを特徴とする請求項１記載の景品管理システム。
【請求項３】
前記特殊景品は、
前記ＩＣチップとは異なる形態により前記景品の固有識別情報が付与され、
前記景品検査装置は、
前記景品買い取り装置における前記ＩＣチップ読み取り手段で前記特殊景品のＩＣチップに記録されたデータの読み取り処理に失敗した該特殊景品に前記ＩＣチップとは異なる形態により付与された前記景品の固有識別情報を読み取る景品固有識別情報読み取り手段をさらに具備し、
前記景品検査装置における前記問合せ手段は、
前記景品固有識別情報読み取り手段で読み取った前記景品の固有識別情報を前記景品管理装置に送信して前記特殊景品の真偽を問い合わせる
ことを特徴とする請求項１または２に記載の景品管理システム。
【請求項４】
前記景品買い取り装置は、
前記買い取り可否判別手段にて買い取りができないと判断した場合、該買い取り拒否の理由を前記景品管理装置に送信して前記管理情報に登録するように指示する買い取り拒否情報登録手段を
さらに具備する
ことを特徴とする請求項１乃至３のいずれかに記載の景品管理システム。
【請求項５】
前記景品管理装置は、
前記景品払い出し装置にて払い出しが行われた日時から、前記景品買い取り装置にて買い取り可能な日時までの有効期間を設定して管理する買い取り有効期限設定管理手段
をさらに具備し、
前記景品買い取り装置において、
前記買い取り可否判別手段は、
前記特殊景品に記録された払い出し日時と、前記買い取り有効期限設定管理手段にて設定された前記有効期間に基づいて買い取り有効期限を算出し、該算出した買い取り有効期限を過ぎた場合には、前記買い取り手段による特殊景品の買い取りを禁止する
ことを特徴とする請求項１乃至４のいずれかに記載の景品管理システム。
【請求項６】
前記景品管理装置は、
前記管理情報に登録された情報を集計し、前記景品払い出し装置にて払い出しが行われた特殊景品の数と、前記景品買い取り装置にて買い取りが行われた特殊景品の数に基づいて、特殊景品の持ち出し数を所定の時期毎に算出する持ち出し数監視手段と、
前記持ち出し数監視手段にて監視される前記持ち出し数が所定の値以上となった場合はその旨報知する報知手段と
をさらに具備することを特徴とする請求項１乃至５のいずれかに記載の景品管理システム。
【請求項７】
前記景品管理装置は、
前記報知手段による報知に基づき前記特殊景品の問屋に対して、所定数の特殊景品の自動発注処理を行う自動発注手段
をさらに具備することを特徴とする請求項６記載の景品管理システム。
【請求項８】
前記景品払い出し装置および景品検査装置は、
複数のホールにそれぞれ配設されるとともに前記ネットワークを介して共有接続され、
前記景品管理装置は、
前記複数のホールを個別に識別するホール識別情報を登録して管理するホール情報管理手段と、
前記景品払い出し装置および前記景品検査装置に対する前記ネットワークを介して相互にデータ通信を行うためのアクセス情報を前記ホール識別情報に対応付けて管理するアクセス情報管理手段と
をさらに具備し、
前記通信手段は、
データ通信を行う前記景品払い出し装置あるいは景品検査装置が属するホールを前記アクセス情報に対応する前記ホール識別情報にて特定し、
前記景品管理情報記憶手段は、
前記登録指示手段にて指示された前記ＩＣチップ書込み手段にて書込みを行った情報に対し、前記通信手段にて特定したホール識別情報を付与して記憶管理する
ことを特徴とする請求項１記載の景品管理システム。
【発明の詳細な説明】
【技術分野】
【０００１】
本発明は、ＩＣチップが設けられた特殊景品を取り扱う景品交換システムにおける景品払い出し装置、景品読み取り装置、景品検査装置における処理結果を景品管理装置のデータベースに登録して一元管理することによって、特殊景品の払い出し状況、買い取り状況、持ち出し状況を一元管理するとともに、景品検査装置にて必要であれば、代替特殊景品の払い出しを行う景品管理システムに関する。
【背景技術】
【０００２】
最近のパチンコホール（遊技場）では、ＩＣチップのメモリに特殊景品の情報が埋め込まれた特殊景品を払い出す景品払い出し機が導入され、景品買取り場においては、持ち込まれた特殊景品のＩＣチップのメモリに記録された景品情報を読み出して真偽確認を行う景品読取り機が導入され、「真」と判別した場合は、景品読取り機に接続される入出金管理機に、読取った景品情報を通知して、予め設定した景品情報の価値に相当する額を計算して出金処理を行っている。
【０００３】
入出金管理機側で出金処理を行う場合、景品読取り機から通知される景品情報、計数データに基づいて特殊景品を二重に買い取っていないかのチェックを行っている。
【０００４】
また、景品買取り場とホールの間における特殊景品の授受に関するデータを管理する技術として、特許文献１記載の「特殊景品交換管理システム」が開示される。
【０００５】
この特許文献１の発明は、景品管理センター内に景品管理サーバを設置し、景品交換端末装置とデータ通信を行って特殊景品の授受に係る出納データを管理するシステムである。
【特許文献１】特開２００３-３４０１０９号
【発明の開示】
【発明が解決しようとする課題】
【０００６】
ＩＣチップを設けた特殊景品をパチンコホールが導入することは、特殊景品の偽造、不正な払い出し、買い取りを防止するセキュリティ対策として有効である。
【０００７】
一方、特殊景品の損傷、汚れなどによって、ＩＣチップに記録した情報が読み取り取れなくなるケースがあり、遊技客が正規に払い出しを受けた特殊景品の買い取り処理を救済することができずにサービスの低下を招き、買い取りが拒否された特殊景品として遊技店に持ち込まれてもＩＣチップが読み取り不可となった特殊景品は、その真偽を判別する手段を失ってしまうといった問題が生じた。
【０００８】
本発明は、景品交換システムにおける特殊景品の払い出しを行う払い出し装置、特殊景品の買い取りを行う景品買い取り装置に景品管理装置がネットワークを介して接続し、各装置から特殊景品の処理内容をデータ通信して景品管理装置のデータベースに登録して管理することにより、システム内における特殊景品の流通状況、在庫状況、持ち出し状況を一元管理して、必要によりＩＣチップが読み取れなくなった特殊景品に代替する特殊景品の払い出しが可能で、特殊景品を自動発注することができる景品管理システムを提供する。
【課題を解決するための手段】
【０００９】
上記課題を解決するために、請求項１の発明は、景品交換システムにて取り扱われるＩＣチップが設けられた特殊景品をデータベースに登録して管理する景品管理装置と、遊技客が獲得した遊技媒体の数量に応じて特殊景品の払い出しを行う景品払い出し装置と、前記特殊景品の正当性を前記景品管理装置に問い合わせ、必要であれば、前記特殊景品の代替となる特殊景品と交換する景品検査装置とがネットワーク接続されて遊技場内に設置され、前記特殊景品払い出し装置にて払い出しが行われた前記特殊景品の買い取り処理を行う景品買い取り装置が景品交換場に設置され、前記特殊景品の流通状況、在庫状況を一元管理する景品管理システムにおいて、前記景品管理装置は、前記特殊景品のＩＣチップに記録された固有識別情報、価値情報、景品の固有識別情報および、前記景品払い出し装置にて払い出しが行われた前記特殊景品の払い出し日時を記憶して管理する景品管理情報記憶手段と、前記景品払い出し装置および前記景品検査装置との間にてデータ通信を行う通信手段とを具備し、前記景品払い出し装置は、前記特殊景品の前記ＩＣチップに、払い出し日時、払い出し済みを示す情報の書込みを行うＩＣチップ書込み手段と、前記景品管理装置にネットワークを介して接続してデータ通信を行う通信手段と、前記ＩＣチップ書込み手段にて書込みを行った情報の前記景品管理情報記憶手段への登録を前記通信手段にて指示する登録指示手段とを具備し、前記景品買い取り装置は、前記特殊景品のＩＣチップに記録されたデータの読み取り処理を行うＩＣチップ読み取り手段と、前記景品管理装置に対して、前記ＩＣチップ読み取り手段にて読み取った前記データを前記ネットワークを介して送信し、該送信したデータを記録した特殊景品の真偽を問合せする問合せ手段と、前記問合せ手段による真偽の結果を前記景品管理装置から受信して、該問合せを行った特殊景品が買い取り可能か否かを判断する買い取り可否判別手段と、前記買い取り可否判別手段にて買い取りが可能であると判断した場合は、買い取りを行う特殊景品の価値に相当する額の貨幣を払い出し、該買い取りを行う特殊景品のＩＣチップに買い取り済み、買い取りを行った日時を示す情報を書き込む買い取り手段とを具備し、前記景品検査装置は、前記景品買い取り装置で買い取りが出来なかった前記特殊景品のＩＣチップに記録されたデータの読み取り処理を行うＩＣチップ読み取り手段と、前記ＩＣチップ読み取り手段に読み取った情報を前記景品管理装置に送信して前記特殊景品の真偽を問い合わせる問合せ手段と、前記問合せ手段による問い合わせの結果を前記景品管理装置から受信して表示する問合せ結果表示手段とを具備することを特徴とする。
【００１０】
また、請求項２の発明は、請求項１の発明において、前記景品検査装置は、前記問合せ手段にて問い合わせた結果、「真」と判別された場合、前記買い取り装置で買い取りが出来なかった当該特殊景品と同一の価値を有して１対１に代替対応する特殊景品の払い出し要求操作を検知し、前記景品払い出し装置に対して代替特殊景品の払い出しを指示する代替特殊景品払い出し指示手段とさらに具備することを特徴とする。
【００１１】
また、請求項３の発明は、請求項１または請求項２の発明において、前記特殊景品は、前記ＩＣチップとは異なる形態により前記景品の固有識別情報が付与され、前記景品検査装置は、前記景品買い取り装置における前記ＩＣチップ読み取り手段で前記特殊景品のＩＣチップに記録されたデータの読み取り処理に失敗した該特殊景品に前記ＩＣチップとは異なる形態により付与された前記景品の固有識別情報を読み取る景品固有識別情報読み取り手段をさらに具備し、前記景品検査装置における前記問合せ手段は、前記景品固有識別情報読み取り手段で読み取った前記景品の固有識別情報を前記景品管理装置に送信して前記特殊景品の真偽を問い合わせることを特徴とする。
【００１２】
また、請求項４の発明は、請求項１から請求項３のいずれかの発明において、前記景品買い取り装置は、前記買い取り可否判別手段にて買い取りができないと判断した場合、該買い取り拒否の理由を前記景品管理装置に送信して前記管理情報に登録するように指示する買い取り拒否情報登録手段をさらに具備することを特徴とする。
【００１３】
また、請求項５の発明は、請求項１から請求項４のいずれかの発明において、前記景品管理装置は、前記景品払い出し装置にて払い出しが行われた日時から、前記景品買い取り装置にて買い取り可能な日時までの有効期間を設定して管理する買い取り有効期限設定管理手段をさらに具備し、前記景品買い取り装置において、前記買い取り可否判別手段は、前記特殊景品に記録された払い出し日時と、前記買い取り有効期限設定管理手段にて設定された前記有効期間に基づいて買い取り有効期限を算出し、該算出した買い取り有効期限を過ぎた場合には、前記買い取り手段による特殊景品の買い取りを禁止することを特徴とする。
【００１４】
また、請求項６の発明は、請求項１から請求項５のいずれかの発明において、前記景品管理装置は、前記管理情報に登録された情報を集計し、前記景品払い出し装置にて払い出しが行われた特殊景品の数と、前記景品買い取り装置にて買い取りが行われた特殊景品の数に基づいて、特殊景品の持ち出し数を所定の時期毎に算出する持ち出し数監視手段と、前記持ち出し数監視手段にて監視される前記持ち出し数が所定の値以上となった場合はその旨報知する報知手段とをさらに具備することを特徴とする。
【００１５】
また、請求項７の発明は、請求項６の発明において、景品管理装置は、報知手段による報知に基づき特殊景品の問屋に対して、所定数の特殊景品の自動発注処理を行う自動発注手段をさらに具備することを特徴とする。
【００１６】
また、請求項８の発明は、請求項１の発明において、景品払い出し装置および景品検査装置は、複数のホールにそれぞれ配設されるとともにネットワークを介して共有接続され、景品管理装置は、複数のホールを個別に識別するホール識別情報を登録して管理するホール情報管理手段と、景品払い出し装置および景品検査装置に対するネットワークを介して相互にデータ通信を行うためのアクセス情報をホール識別情報に対応付けて管理するアクセス情報管理手段とをさらに具備し、通信手段は、データ通信を行う景品払い出し装置あるいは景品検査装置が属するホールをアクセス情報に対応するホール識別情報にて特定し、景品管理情報記憶手段は、登録指示手段にて指示されたＩＣチップ書込み手段にて書込みを行った情報に対し、通信手段にて特定したホール識別情報を付与して記憶管理することを特徴とする。
【発明の効果】
【００１７】
本発明の景品管理システムによれば、ＩＣチップの損傷、汚れにて買い取りが拒否された特殊景品の真偽を、景品管理装置のデータベースに登録したデータと、特殊景品に付与したバーコードの情報にて管理装置に問い合わせることができるので、事故により読み取り不能となった遊技客への買い取り処理を救済するといったサービスの低下を防止するとともに、不正な特殊景品の持ち込みを防止することができる。
【発明を実施するための最良の形態】
【００１８】
本発明の景品管理システムの実施例について、添付図面を参照しながら説明する。
【００１９】
図１は、本願発明の景品管理システムの構成例を示すブロック図である。
【００２０】
景品管理装置１００は、特殊景品の払い出しを行う景品払い出し装置２００、特殊景品の真偽を判別して、条件によっては、代替特殊景品８３の払い出しを行う景品検査装置３００、特殊景品８０の買い取りを行う景品買い取り装置（以下、実施例の説明では、景品読み取り装置４００と称す）にネットワーク５０を介して接続し、各装置から通知される特殊景品８０の処理結果を景品管理ＤＢ１０６に登録して一元管理する。
【００２１】
これにより、景品管理装置１００は、遊技場６０に設置された景品払い出し装置２００による特殊景品８０の払い出し状況、景品読み取り装置３００による特殊景品８０の買い取り状況、買い取りが拒否されたリジェクト景品８１の履歴情報、景品払い出し装置２００から払い出しが行われた特殊景品８０の払い出し数から景品読み取り装置３００による特殊景品８０の買い取り済みの数を差し引いたシステム内における特殊景品８０の持ち出し数を管理する。
【００２２】
景品管理装置１００は、遊技場６０における特殊景品８０の在庫数、あるいは、上記システム内の持ち出し数を監視して、必要により景品問屋６３に所定数の特殊景品を発注する発注メール６３を作成して送信する。
【００２３】
また、景品検査装置３００は、景品読み取り装置４００にて買い取りが拒否されたリジェクト景品８１の真偽を景品管理装置１００に問い合わせ、必要にて同一価値の代替特殊景品８１の払い出しを景品払出装置２００に対して行う。
【００２４】
本システムにおける特殊景品８０の流通状態には、特殊景品８０が遊技場６０に特殊景品問屋６３から納入されて景品払い出し装置２００にセットされた『登録済み』の状態、遊技客が遊技場６０に設置された遊技台６２から獲得した遊技媒体の数量に応じて景品払い出し装置２００から払い出しを受けた『払い出し済み』の状態、景品交換場７０に設置された景品読み取り装置４００にて買い取りが行われた『買い取り済み』の状態、景品読み取り装置４００にて買い取りが拒否された『買い取り拒否』の各状態がある。
【００２５】
特殊景品８０の例としては、図２に示すように、景品連番バーコード８２およびＩＣチップ９０が設けられている。
【００２６】
景品連番バーコード８２は、特殊景品８０のシステム内で識別するために割り当てが行われた連番を示すバーコードである。
【００２７】
ＩＣチップ９０のＩＣチップメモリ９１は、製造段階にて割り当てが行われたＩＣチップ９０の固有識別情報を示すＵＩＤ９１１、特殊景品が遊技場６０に登録された際に付与されるバーコードのデータである景品連番バーコード８２の情報が書き込まれるバーコード情報９１２、特殊景品８０の価値を示す金種情報９１３と、特殊景品８０の払い出し時に記録される景品払い出し日時９１４、景品払い出し・買い取り済みフラグ９１５を有する。
【００２８】
次に、図１に示した景品管理装置、景品払い出し装置、景品読み取り装置、景品検査装置の内部構成を図３のブロック図に示して説明する。
【００２９】
図３において、景品管理装置１００は、景品管理装置１００全体を制御する景品管理装置制御部１０１に、景品管理装置記憶部１０２、記録媒体読み取り部１０３、景品管理装置操作表示部１０４、景品管理装置通信制御部１０５が接続された構成にて制御され、特殊景品８０の識別情報を登録して管理するとともに、ネットワーク５０を介して接続される景品払い出し装置２００、景品読み取り装置４００、景品検査装置３００から通知される処理結果を景品管理装置１００のデータベース１０６に記録して管理することにより、特殊景品８０の払い出し状況、買い取り状況、在庫状況、持ち出し状況を管理する。
【００３０】
景品管理装置操作表示部１０４は、特殊景品８０の登録、登録した特定の特殊景品８０の流通状況の確認、在庫状況の確認、特殊景品８０の発注、景品管理ＤＢ１０６の保守を行うためのマンマシンインタフェースである。
【００３１】
景品管理装置制御部１０１は、主な機能ブロックとして、特種景品発注管理部１０１１データベース管理部１０１２を有する。
【００３２】
特種景品発注管理部１０１１は、遊技場６０における特殊景品８０の在庫数を、所定の監視スケジュールおよび景品管理ＤＢ１０６に登録された登録データにて監視し、予め設定されたしきい値以下に在庫数が減少したり、特殊景品の持ち出し数が所定の数を超えた場合は、景品管理装置操作表示部１０４に警告表示を行って管理者に報知したり、特殊景品問屋６１に発注メールを送信する。
【００３３】
データベース管理部１０１２は、特種景品８０が景品問屋６１から納入された場合、たとえば、納入された特殊景品８０の景品連番バーコード８２、ＩＣチップメモリ９１に記録された特殊景品８０納入された際、納入された特殊景品８０のＵＩＤ９１１、バーコードの一覧をＣＤーＲＯＭ等のメディアにて提供されるので、そのメディアを記録媒体読み取り部１０３にて読み取って、特殊景品８０の金種毎に景品管理ＤＢ１０６に登録する。
【００３４】
また、データベース管理部１０１２は、景品管理装置通信制御部１０５を介して景品検査装置３００、景品読み取り装置４００、景品払い出し装置２００から受信した処理結果を景品管理ＤＢ１０６に反映するデータベースの更新処理、および、保守処理を行う。
【００３５】
景品管理装置記憶部１０２は、景品管理ＤＢ１０６、特種景品発注メール設定情報１１１、特特種景品読み取り可能有効期間１１２を記憶する。
【００３６】
景品管理ＤＢ１０６に登録して管理する情報には、景品登録情報１０７、景品払い出し情報１０８、景品読み取り情報１０９、代替景品払い出し情報１１０がある。
【００３７】
景品登録情報１０７は、図４に示すように、遊技場６０に納入された特殊景品８０の価値種別を記録する金種情報、特殊景品８０に付与されたＩＣチップ９０に記録されるＵＩＤ９１１を記録するＵＩＤ、景品連番バーコード８２のバーコード情報を記録する景品連番バーコード、特殊景品８０を景品管理装置１００に登録した日時を記録する登録日を有する。
【００３８】
景品払い出し情報１０８は、図５に示すように、景品払い出し装置２００にて遊技者に払い出しが行われた特殊景品８０の情報を登録して管理するとともに、登録した特殊景品８０のうち景品読み取り装置３００にて買い取りが行われたか否かをフラグにて管理する。景品払い出し装置２００にて特殊景品８０の払い出しを行った払い出し日時、払い出しが行われた特殊景品８０のＵＩＤ９１１を示すＵＩＤ、景品連番バーコード８２の読み取り情報を示す景品連番バーコード、特殊景品８０の払い出し状態、買い取り状態をフラグにて管理する払い出し・買い取り済みフラグ、払い出し、買い取りが行われた日時を示す払い出し買い取り日時を登録して管理する。
【００３９】
景品読み取り情報１０９は、図６に示すように、景品読み取り装置４００にて買い取りが拒否された特殊景品８０の処理内容を記録して管理するための情報であり、特殊景品８０をリジェクトした日時、買い取りが拒否された特殊景品８０の景品連番バーコード８２を示す景品連番バーコード、買い取りが拒否された特殊景品８０のＵＩＤ９１１を示すＵＩＤ、特殊景品８０をリジェクトした理由を示すエラーコード、エラーコードの内容を記録して管理する。
【００４０】
代替景品払い出し情報１１０は、遊技場６０に持ち込まれた、特殊景品８０あるいはリジェクト景品９１を景品検査装置３００よって代替特殊景品８３の払い出し処理を行った処理内容を登録して管理する情報であり、図７に示すように、代替特殊景品８３の払い出しを行った日時を示す交換日時、回収したリジェクト景品９１のＩＣチップメモリ９１に記録されたＵＩＤ９１１の情報を記録する回収景品ＵＩＤ、リジェクト景品９１の景品連番バーコード８２の情報を記録する回収景品バーコード、代替特殊景品８３のＵＩＤ９１１を記録する代替景品ＵＩＤ、代替特殊景品８３の景品連番バーコード８２を記録する代替景品バーコード、代替特殊景品８３の払い出し制御を指示した景品検査装置３００のシステム内における識別情報を記録する景品検査装置ＩＤ、特殊景品８３の払い出し処理を行った景品払い出し装置３００のシステム内における識別情報を記録する代替景品払い出し装置ＩＤ、代替特殊景品８３の払い出し処理を行った担当者の識別情報を示す代替景品取り扱い者を登録して管理する。
【００４１】
図３に戻り、景品管理装置１００の記憶部１０２において、特種景品発注メール設定情報１１１は、特殊景品発注管理部１０１１にて特殊景品８０の発注メールを送信するために必要な各種データを記憶し、発注メールの宛先アドレス、メッセージフォーム、メール送信条件、特殊景品を発注する際の種類毎の単位が記録される。
【００４２】
景品読み取り可能有効期間１１２は、景品払い出し装置２００にて払い出しが行われた後、景品読み取り装置４００にて買い取りが可能な期間を設定して制限する場合の払い出し日時からの経過時間が記録される。
【００４３】
景品読み取り装置４００は、特殊景品８０の買い取り処理を行う場合は、特殊景品８０の景品連番バーコード８２、ＩＣチップメモリ９１の読み取りによって特定した特種景品８０の払い出し日時を、景品払い出し情報１０８の登録データから取得し、現在時刻、払い出し日時、景品読み取り可能有効期間１１２に基づいて景品買い取りが可能な有効期限を計算して景品の買い取りが可能な時間であるか否かを判断する。
【００４４】
図３において、景品払い出し装置２００は、景品払い出し装置２００全体を統括制御する景品払い出し装置制御部２０１に、景品払い出し装置ＩＣチップＲ/Ｗ２０２、景品払い出し装置記憶部２０５、景品払い出し装置通信制御部２０３、景品払い出し装置操作表示部２０４、景品払い出し装置バーコード読み取り部２０６が接続された構成にて制御される。  
この構成によって、景品払い出し装置２００は、遊技者が獲得した遊技媒体の数量に応じた価値の特殊景品８０の個数を金種別に算出して払い出しを行うとともに、払い出しを行った特殊景品８０に関する情報、払い出し処理の日時を示す情報を景品管理装置１００に送信する処理結果通知機能を提供する。
【００４５】
景品払い出し装置ＩＣチップＲ／Ｗ２０２は、払い出しを行う特殊景品８０に対して、払い出し対象となった特殊景品８０のＩＣチップメモリ９１のＵＩＤ９１１を読み取るとともに、バーコード情報記憶部９１２、金種情報記憶部９１３、景品払い出し日時９１４、景品払い出し・買い取り済みフラグ９１５の書込み処理を景品払い出し装置制御部２０１の制御にて行う。
【００４６】
景品払い出し装置通信制御部２０３は、ネットワーク５０を介して接続された景品管理装置１００に対して、特殊景品８０の払い出し処理の内容を通知するデータを送信し、景品検査装置３００との間においては、代替特殊景品８３の払い出し処理を行うために制御データの送受信を行うための通信インタフェースである。
【００４７】
景品払い出し装置操作表示部２０４は、特殊景品８０の払い出し処理に関する各種操作画面、エラー画面を表示する表示手段と、特殊景品８０の払い出し処理を行うために、遊技媒体計数装置６２にて発行された計数レシートを景品払い出し装置バーコード読取２０６によるバーコード読み取りを伴う特殊景品８０の払い出し指示操作、金種別の手動による特殊景品の払い出し操作を行うためのテンキー、操作ボタンなどの入力手段が設けられたマンマシンインタフェースである。
【００４８】
景品払い出し装置記憶部２０５は、遊技媒体の数量に対する特殊景品８０の交換比率、未払い出しの特殊景品８０が格納されるストッカーの識別情報、各ストッカーにセットされている特殊景品の格納数、格納した特殊景品の金種情報を記録する。
【００４９】
景品読み取り装置４００は、景品読み取り装置４００全体を統括制御する景品読み取り装置制御部４０１に対して、景品読み取り装置記憶部４０２、景品読み取り装置操作表示部４０３、景品読み取り装置ＩＣチップＲ/Ｗ４０４、景品読み取り装置バーコード読み取り部４０５、景品読み取り装置通信制御部４０６、景品読み取り装置貨幣払い出し部４０７が接続された構成にて制御される。
【００５０】
この構成によって、景品読み取り装置４００は、景品払い出し装置２００にて払い出しが行われた特殊景品８０を、金種毎に設定された所定の買い取り設定単価と買取り数に基づいて買い取り総額を計算して買い取り金に相当する額の貨幣の払い出し処理を行う。
【００５１】
景品読み取り装置記憶部４０２は、景品管理装置１００装置から通知される特殊景品８０のＩＣチップメモリ９１に記録される金種コードと、その金種コードに設定された買い取り単価の対応表、特種景品買い取り有効期間、景品管理装置１００にて設定された買い取り拒否の理由を示すエラーコード一覧を記憶する。
【００５２】
景品読み取り装置操作表示部４０３は、特殊景品８０の買い取り処理操作を行うオペレータに対して、特殊景品８０の買い取り処理に必要な操作画面（特殊景品８０の投入、特殊景品８０の買い取り金額の表示、投入操作完了後におけるボタン操作を指示する操作指示案内、特殊景品８０の買い取りを拒否した場合のエラー案内）を表示する表示部、特殊景品８０の買い取りを指示する買い取り指示ボタン、係員呼び出しボタン等、特殊景品８０の買い取り操作に必要な各種ボタンを具備したマンマシンインタフェースである。
【００５３】
景品読み取り装置ＩＣチップＲ/Ｗ４０４は、買い取りが指示されて所定の投入口あるいは設置位置にセットされた特殊景品８０のＩＣチップメモリ９１からデータの読み取り処理を行い、読み取り結果、および、読み取りに成功した場合の読み取りデータを景品読み取り装置制御部４０１に出力する。
【００５４】
景品読み取り装置景品連番バーコード読み取り部４０５は、特殊景品８０に付与された景品連番バーコード８２の読み取り処理を行い、読み取ったバーコードデータを景品読み取り装置制御部４０１に出力する。
【００５５】
景品読み取り装置通信制御部４０６は、ネットワーク５０を介して接続される景品管理装置１００との間にて、特殊景品８０の真偽問い合わせ処理を行うためのデータ通信制御を行うための通信インタフェースである。
【００５６】
景品読み取り装置貨幣払い出し部４０７は、景品読取装置制御部４０１の制御にて確定した買取金に相当する貨幣の払い出を行う。
【００５７】
景品検査装置３００は、景品検査装置３００全体を統括して制御する景品検査装置制御部３０１に対して、景品検査装置記憶部３０２、景品検査装置通信制御部３０３、景品検査装置バーコード読み取り部３０４、景品検査装置ＩＣチップ読み取り部３０５、景品検査装置操作表示部３０６が接続された構成にて制御される。
【００５８】
この構成によって、景品読み取り装置４００に買い取りが拒否されたリジェクト景品８１の真偽を、景品連番バーコード８２、ＩＣチップメモリ９１の読み取り情報を景品管理装置１００に通知して、リジェクト景品８１が、景品払い出し装置２００にて払い出しが行われたものであり、景品読み取り装置４００が買い取りを拒否した景品であるか否かを判断するための照会処理を行う。
【００５９】
照会処理の結果、代替特種景品８３との交換が可能であるとホール係り員が判断した場合、ホール係り員による代替特殊景品８３の払い出し操作にて、同一金種の特殊景品８０の払い出しを、ネットワーク５０を介して接続された景品払い出し装置２００を制御して代替特殊景品８３の払い出し処理を行う。
【００６０】
また、代替特殊景品８３の払い出しを行った場合は、景品管理装置１００に対して、代替景品払出情報１１０に対して代替特殊景品８３の処理内容の登録指示を行う。
【００６１】
景品検査装置通信制御部３０３は、景品検査装置３００がネットワーク５０を介して接続される景品管理装置１００との間にて、リジェクト景品８１の照会を行うための問合せデータの送信、景品管理装置１００から照会結果を通知する応答データの受信、および、景品払い出し装置２００との間においては代替特種景品８３の払い出し制御に伴う制御データの送受信を行うためのデータ通信制御を行う。
【００６２】
景品検査装置バーコード読み取り部３０４は、検査対象となるリジェクト景品８１、特殊景品８０の景品連番バーコード８２を読み取り、読み取り結果および読み取ったバーコードデータを景品検査装置制御部３０１に出力する。
【００６３】
景品検査装置ＩＣチップ読み取り部３０５は、特殊景品８０、リジェクト景品８１のＩＣチップメモリ９１に記録されたＵＩＤ９１１、バーコード情報９１２、金種情報９１３、景品払い出し日時９１４、景品払い出し・買い取り済みフラグ９１５の読み取り処理を景品検査装置制御部３０１の制御にて行い、読み取り処理の結果および読み取りデータを景品検査装置制御部３０１に出力する。
【００６４】
次に、景品管理装置１００における特種景品８０の登録処理の動作例を図８のフローチャートに示して説明する。
【００６５】
景品管理装置１００は、特殊景品８０の製造元から特種景品８０を受け取り（Ｓ１０１）、特殊景品８０を受け取った際に同封されたメディアに記録された特種景品８０毎に付与した景品連番バーコード８２、ＩＣチップメモリ９１に書き込まれたＵＩＤ９１１の組み合わせ一覧を記録媒体読み取り部１０３にて読み取る（Ｓ１０２）。
【００６６】
景品管理装置１００は、ＵＩＤ９１１、景品連番バーコード８２の組み合わせに金種情報と登録日を付与して、景品管理ＤＢ１０６の景品登録情報１０７に登録する（Ｓ１０３）。
【００６７】
景品管理装置１００の景品管理ＤＢ１０６にて管理される景品登録情報１０７への登録処理が完了した特殊景品８０を景品払い出し装置２００にセットする（Ｓ１０４）。
【００６８】
次に、特殊景品８０の払い出しを行う場合の景品払い出し装置２００、景品管理装置１００の動作例を、図９のフローチャートに示して説明する。
【００６９】
景品払い出し装置制御部２０１は、払い出しが確定した特殊景品８０に対し、各特殊景品８０に設けられたＩＣチップメモリ９１に記録されたデータ読み取り、ＩＣチップメモリ９１に対するデータ書込みが景品払い出し装置ＩＣチップＲ／Ｗ２０２にて可能な位置、バーコード読み取り装置２０６にてバーコード読み取り可能な位置にそれぞれ搬送して、ＵＩＤ９１１、景品連番バーコード８２の読み取りを行うとともに、払い出し買い取り日時、払い出し買い取り済みフラグを景品払い出し装置ＩＣチップＲ/Ｗ２０２にてＩＣチップメモリ９１に書込みを行う（Ｓ２０１）。
【００７０】
払い出しが確定した各特殊景品８０のＩＣチップメモリ９１に対するデータ書込みが完了すると、景品払い出し装置２００は、景品管理装置１００に対して、払い出しが行われた特殊景品８０の景品連番バーコード８２、ＩＣチップメモリ９１に書き込んだ情報を景品管理装置１００に送信して景品登録情報１０７への登録要求を行う（Ｓ２０２）。
【００７１】
景品管理装置１００は、景品払い出し情報１０８に対する登録要求データを、景品払い出し装置２００から受信し（Ｓ２０３）、受信したデータに基づいて、払い出しが行われた特殊景品８０のＵＩＤ９１１，景品連番バーコード８２、払い出し日時、買い取り済みフラグ、金種情報を景品払い出し情報１０８に登録し（Ｓ２０４）、景品払い出し情報１０８へのデータ登録処理の結果（データ登録の成功、あるいは失敗）を景品払い出し装置２００に送信して応答する（Ｓ２０５）。
【００７２】
景品払い出し装置２００は、景品管理装置１００から受信した登録処理結果を解析し、景品払い出し情報１０８への登録処理に成功した場合（Ｓ２０６ＹＥＳ）、景品払い出し装置２００は、特殊景品払い出し口（図示せず）に特殊景品８０を排出する（Ｓ２０８）。
【００７３】
景品払い出し情報１０８の登録処理に失敗した場合（Ｓ２０６ＮＯ）、景品払い出し装置２００は、景品払い出し情報１０８の登録処理に失敗したことを通知するエラーメッセージを景品払い出し装置表示部２０５に表示して特殊景品８０の払い出し処理を終了する（Ｓ２０７）。
【００７４】
次に、景品読み取り装置４００、景品管理装置１００における特殊景品の買い取り処理の動作例を図１０のフローチャートに示して説明する。
【００７５】
景品読み取り装置４００は、景品読み取り装置操作表示部４０３にて、景品買い取り操作を検知すると、買い取りが要求された特殊景品８０のＩＣチップメモリ９１を、景品読み取り装置ＩＣチップＲ/Ｗ４０４にて読み取る（Ｓ３０１）。
【００７６】
ＩＣチップメモリ９１の読み取りに失敗した場合（Ｓ３０２ＹＥＳ）、景品読み取り装置４００は、特殊景品８０をリジェクト景品８１として景品読み取り装置４００に設けられた返却口（不図示）に返却し（Ｓ３１１）、景品読み取り情報１０９にリジェクトした処理の内容を登録するための登録データを作成し（Ｓ３１２）、景品管理装置１００に作成した登録データを送信する（Ｓ３１３）。
【００７７】
ＩＣチップメモリ９１の読み取りに成功した場合（Ｓ３０２ＮＯ）、景品読み取り装置４００は、ＩＣチップメモリ９１に記録された、払い出し・買い取り済みフラグ９１５、買い取り日時９１５の情報を読み取って買い取り済みか否かを判別する（Ｓ３０３）。
【００７８】
買い取り済みの場合（Ｓ３０３ＹＥＳ）、景品読み取り装置４００は、特殊景品８０をリジェクト景品８１として景品読み取り装置４００に設けれた返却口（不図示）に返却し（Ｓ３１１）、景品読み取り情報１０９にリジェクトした処理の内容を登録するための登録データを作成し（Ｓ３１２）、景品管理装置１００に作成した登録データを送信する（Ｓ３１３）。
【００７９】
特殊景品８０が買い取り済みでない場合（Ｓ３０３ＮＯ）、景品読み取り装置４００は、次に、特殊景品８０の景品連番バーコード８２を読み取る（Ｓ３０４）。
【００８０】
景品連番バーコード８２の読み取りに失敗した場合、あるいは、読み取った景品連番バーコード８２の内容と、バーコード情報９１２の内容が一致しない場合（Ｓ３０５ＮＯ）、景品読み取り装置４００は、特殊景品８０をリジェクト景品８１として景品読み取り装置４００に設けれた返却口（不図示）に返却し（Ｓ３１１）、景品読み取り情報１０９にリジェクトした処理の内容を登録するための登録データを作成し（Ｓ３１２）、景品管理装置１００に作成した登録データを送信する（Ｓ３１３）。
【００８１】
景品連番バーコード８２の読み取りに成功して、読み取った景品連番バーコード８２の内容と、バーコード情報９１２の内容が一致した場合（Ｓ３０５ＹＥＳ）、景品読み取り装置４００は、ＵＩＤ９１１と景品連番バーコード８２の情報を景品管理装置１００に通知して、特殊景品８０の真偽および買い取り可能か否かを問い合わせる（Ｓ３０６）。
【００８２】
景品管理装置１００は、景品読み取り装置４００から通知されたＵＩＤ９１１と景品連番バーコード８２の情報を検索キーにして景品登録情報１０７（Ａデータ）を検索する（Ｓ３１４）。
【００８３】
景品登録情報１０７に該当するレコードが存在しない場合（Ｓ３１５ＮＯ）、景品管理装置１００は、問合せがあった特殊景品８０を不正とみなす処理結果を通知する応答データを作成し（Ｓ３２１）、作成した応答データを景品読み取り装置４００に送信する（Ｓ３２２）。
【００８４】
一方、景品読み取り装置４００から通知されたＵＩＤ９１１、景品連番バーコード８２に一致するレコードが景品登録情報１０７に登録されている場合（Ｓ３１５ＹＥＳ）、景品管理装置１００は、次に、同一の検索キーにて景品払い出し情報１０８（Ｂデータ）を検索する（Ｓ３１６）。
【００８５】
検索キーに一致するレコードが景品払い出し情報１０８に無い場合（Ｓ３１７ＮＯ）、景品管理装置１００は、問合せがあった特殊景品８０を不正とみなす処理結果を通知する応答データを作成し（Ｓ３２１）、作成した応答データを景品読み取り装置４００に送信する（Ｓ３２２）。
【００８６】
検索キーに一致するレコードが景品払い出し情報１０８にある場合（Ｓ３１７ＹＥＳ）、一致したレコードに記録された景品払い出し・買い取り済みフラグ９１５の内容を読み取って買い取り済みか否かを判断する（Ｓ３１８）。
【００８７】
特殊景品８０が買い取り済みの場合（Ｓ３１８ＹＥＳ）、景品管理装置１００は、問合せがあった特殊景品８０が買い取り済みであることを通知する応答データを作成し（Ｓ３２１）、作成した応答データを景品読み取り装置４００に送信する（Ｓ３２２）。
【００８８】
特殊景品８０が買い取り済みでない場合（Ｓ３１８ＮＯ）、景品管理装置１００は、景品読み取り可能有効期間１１２と、景品払い出し情報１０８における該当レコードから読み取った払い出し日時に基づいて、現在時刻が買い取り有効期限よりも前であることによる買い取りが可能な時間か否かを判断する（Ｓ３１９）。
【００８９】
買い取り可能な有効期限を過ぎている場合（Ｓ３１９ＮＯ）、景品管理装置１００は、問合せがあった特殊景品８０は、正規に払い出しが行われた景品であるが、買い取り可能な有効期限を過ぎてしまい買い取りができないことを通知する応答データを作成し（Ｓ３２１）、作成した応答データを景品読み取り装置４００に送信する（Ｓ３２２）。
【００９０】
買い取り可能な有効期限内である場合（Ｓ３１９ＹＥＳ）、景品管理装置１００は、特殊景品８０の買い取りを指示する応答データを作成し（Ｓ３２０）、作成した応答データを景品読み取り装置４００に送信する（Ｓ３２２）。
【００９１】
景品読み取り装置４００において、景品管理装置１００から特殊景品８０の買い取り可否の問い合わせに対する応答データを受信すると（Ｓ３０７）、応答データの内容を解析して、特殊景品８０の買い取りが可能か否かを判別する（Ｓ３０８）。
【００９２】
買い取り可能な場合（Ｓ３０８ＹＥＳ）、景品読み取り装置４００は、特殊景品８０の金種情報に基づいて買い取り金額を計算して貨幣の払い出し処理を行い（Ｓ３０９）、景品払い出し情報１０８の景品払い出し・買い取り済みフラグ９１５を『買い取り済み』に更新することを要求するデータを作成して（Ｓ３１０）、景品管理装置１００作成したデータを送信する（Ｓ３１３）。
【００９３】
特殊景品８０の買い取りができない場合（Ｓ３０８ＮＯ）、景品読み取り装置４００は、特殊景品８０をリジェクト景品８１として景品読み取り装置４００に設けれた返却口（不図示）に返却し（Ｓ３１１）、景品読み取り情報１０９にリジェクトした処理の内容を登録するための登録データを作成し（Ｓ３１２）、景品管理装置１００に作成した登録データを送信する（Ｓ３１３）。
【００９４】
景品管理装置１００は、景品読み取り装置４００から買い取り処理の結果を受信して、買い取りが成功した場合の景品払い出し情報１０８の更新処理、あるいは、買い取り拒否による景品読み取り情報１０９への登録処理のいずれであるかを判別する（Ｓ３２３）。
【００９５】
景品払い出し情報１０８の更新要求である場合（Ｓ３２４ＹＥＳ）、景品管理装置１００は、通知された特殊景品８０のＵＩＤ９１１、景品連番バーコード８２に該当するレコードに記録された、景品払い出し・買い取り済みフラグ９１５の内容を『買い取り済み』に更新する（Ｓ３２５）。
【００９６】
景品読み取り情報１０９に対するリジェクト情報の登録要求である場合（Ｓ３２４ＮＯ）、景品管理装置１００は、通知されたＵＩＤ９１１、景品連番バーコード８２の情報と、リジェクト日時、リジェクト理由を示すエラーコードを景品読み取り装置４００から通知された情報を景品読み取り情報１０９に登録する（Ｓ３２６）。
【００９７】
次に、景品検査装置３００、景品管理装置１００におけるリジェクト景品８１の検査処理、および、代替特殊景品８３の払い出し処理の動作例を図１１のフローチャートに示して説明する。
【００９８】
景品検査装置３００は、リジェクト景品８１の検査支持操作を景品検査装置操作パネル３０６にて検知してリジェクト景品８１のＩＣチップメモリ９１の読み取りを景品検査装置ＩＣチップ読み取り部３０６にて読み取る（Ｓ４０１）。
【００９９】
ＩＣチップメモリ９１の読み取りに失敗した場合（Ｓ４０２ＹＥＳ）、景品検査装置３００は、次に、景品検査装置景品連番バーコード読み取り部３０４にてリジェクト景品８１に付与された景品連番バーコード８２の読み取り処理を行う（Ｓ４０３）。
【０１００】
景品連番バーコード８２の読み取りに失敗した場合（Ｓ４０４ＮＯ）、景品読み取り装置４００は、リジェクト景品８１のＩＣチップメモリ９１、景品連番バーコード８２双方が読み取れなかったことを景品検査装置操作表示部表示して検査処理を終了する（Ｓ４１１）。
【０１０１】
ステップ４０３にて、景品連番バーコード８２が読み取れた場合（Ｓ４０４ＹＥＳ）、景品検査装置３００は、読み取りデータを表示して、リジェクト景品８１の真偽を問い合わせるための操作画面図（例えば図１４の（Ａ））を景品検査装置操作表示部３０６に表示し、問い合わせの開始操作の検知して、読み取った景品連番バーコード８２、ＵＩＤ９１１を通知してリジェクト景品８１の真偽判定を景品管理装置１００に依頼する問い合わせデータを作成して景品管理装置１００に送信する（Ｓ４０６）。
【０１０２】
再度ステップＳ４０２に戻り、リジェクト景品８１のＩＣチップメモリ９１の読み取りに成功した場合（Ｓ４０２ＮＯ）、景品読み取り装置４００は、ＩＣチップメモリ９１のＵＩＤ９１１、バーコード情報９１２を通知してリジェクト景品８１の真偽を問い合わせる問い合わせデータを作成して景品管理装置１００に送信する（Ｓ４０５）。
【０１０３】
景品管理装置１００は、景品検査装置３００から受信したリジェクト景品８１の真偽問い合わせデータを解析し（Ｓ４１２）、景品管理ＤＢ１０６に登録したデータ検索を、『ＵＩＤ、景品連番バーコード』もしくは、『景品連番バーコード』のいずれの検索方法にて真偽判定を実施するかを判別する（Ｓ４１３）。
【０１０４】
景品検査装置３００から『ＵＩＤ、景品連番バーコード』が通知された場合（Ｓ４１３でＵＩＤ+景品連番バーコード）、景品管理装置１００は、ＩＣチップ読み取りデータに基づく真偽判定処理を行う（Ｓ４１５）。
【０１０５】
一方、景品検査装置３００から『景品連番バーコード』のみが通知された場合（Ｓ４１３で景品連番バーコード）、景品検査装置３００は、ＩＣチップ不読時の真偽判定処理を行う（Ｓ４１４）。  
景品管理装置１００は、ステップＳ４１４、ステップＳ４１５いずれかの真偽判定処理が完了すると判定結果を通知する応答データを作成して景品検査装置３００に送信する（Ｓ４１６）。
【０１０６】
景品検査装置３００は、景品管理装置１００から真偽判定の結果を受信すると、図１４（Ｂ）に示すような景品管理装置１００による真偽判定の内容を表示し、代替特殊景品８３の払い出しを選択可能な画面（図１４の（Ｃ））を景品検査装置操作表示部３０６に表示する（Ｓ４０７）。
【０１０７】
代替特殊景品８３の払い出し指示操作を景品検査装置操作表示部３０６にて検知すると（Ｓ４０８ＹＥＳ）、景品検査装置３００は、リジェクト景品８１と同じ金種の代替特殊景品８３の払い出し指示を景品払い出し装置２００に対して行い（Ｓ４０９）、代替特殊景品８２の払い出し処理の内容を代替景品払い出し情報１１０に登録するための登録要求データを作成して景品管理装置１００に送信する（Ｓ４１０）。
【０１０８】
景品管理装置１００は、代替特殊景品８２の払い出し処理の内容を代替景品払い出し情報１１０に登録するための登録要求データを受信すると（Ｓ４１７ＹＥＳ）、登録要求データにて通知された、リジェクトされた特殊景品８１、代替特殊景品８２の情報を含む払出に関する情報を代替景品払い出し情報１１０に登録する（Ｓ４１８）。
【０１０９】
再度、ステップＳ４０８の処理に戻り、真偽判定の結果としてリジェクト景品８１が正規の景品であって、ＩＣチップメモリ９１、景品連番バーコード８２双方の読み取りが可能であることにより、代替特殊景品８３の払い出しが不要と判断され、取り消しボタン、あるいは、終了ボタンの押下によって、代替特殊景品８３の払い出し指示操作が行われなかった場合（Ｓ４０８ＮＯ）、景品検査装置３００は、検査処理を終了する（Ｓ４１１）。
【０１１０】
なお、図１１に示したフローチャートの検査処理は、景品読み取り装置４００にてリジェクトされたリジェクト景品８１以外に、景品払い出し装置２００にて払い出しが行われた特殊景品８０であっても同様に処理可能である。
【０１１１】
次に、図１１のステップＳ４１４、および、Ｓ４１５に示したリジェクト景品８１（特殊景品８０）の真偽判定処理についてさらに説明する。
【０１１２】
図１２は、図１１のステップＳ４１５に示すＩＣチップ９０が読み取れた場合の景品管理装置１００におけるリジェクト景品８１の真偽判定処理の動作を示すフローチャートである。
【０１１３】
景品管理装置１００は、ＵＩＤ９１１とバーコード情報９１２をキーにして景品登録情報１０７を検索する（Ｓ５０１）。
【０１１４】
景品登録情報１０７にて検索キーに一致する該当データが無い場合（Ｓ５０２ＮＯ）、景品管理装置１００は、問い合わせが行われたリジェクト景品８１を不正と判断する（Ｓ５０９）。
【０１１５】
景品登録情報１０７にて検索キーに一致する登録データある場合（Ｓ５０２ＹＥＳ）、  景品管理装置１００は、同一の検索キーにて景品払い出し情報１０８を検索する（Ｓ５０３）。
【０１１６】
景品払い出し情報１０８にて検索キーに一致する登録データが無い場合（Ｓ５０４ＮＯ）、景品管理装置１００は、問い合わせが行われたリジェクト景品８１を不正とみなす（Ｓ５０９）。
【０１１７】
景品払い出し情報１０８にて検索キーに一致する登録データがあり（Ｓ５０４ＹＥＳ）、なおかつ、一致した登録データが買い取り済みの場合（Ｓ５０５ＹＥＳ）、景品管理装置１００は、問い合わせが行われたリジェクト景品８１を不正と判断する（Ｓ５０９）。
【０１１８】
景品払い出し情報１０８にて検索キーに一致する登録データがあり（Ｓ５０４ＹＥＳ）、なおかつ、一致した登録データが買い取り済みでない場合（Ｓ５０５ＮＯ）、景品管理装置１００は、同一の検索キーにて景品読み取り情報１０９を検索する（Ｓ５０６）。
【０１１９】
景品読み取り情報１０９の検索キーに一致する登録データが無い場合（Ｓ５０７ＮＯ）、景品管理装置１００は、景品管理装置１００は、問い合わせが行われたリジェクト景品８１を不正と判断する（Ｓ５０９）
景品読み取り情報１０９に検索キーに一致する登録データが在る場合（Ｓ５０７ＮＯ）、景品管理装置１００は、リジェクト景品８１を正当な特殊景品８０と判断するとともに（Ｓ５０８）、ステップＳ５０１の検索処理にて特定した景品登録情報１０７に登録されたデータの内容、ステップＳ５０３の検索処理にて特定した景品登録情報１０８に登録されたデータの内容、ステップＳ５０６の検索処理にて特定した景品登録情報１０９に登録されたデータの内容を景品検査装置３００に通知する応答データを作成する（Ｓ５１０）。
【０１２０】
図１３は、図１１のステップＳ４１４に示した、ＩＣチップが読み取れなかった場合で、景品連番バーコード８２が読み取れた場合の景品管理装置１００におけるリジェクト景品８１の真偽判定処理の動作を示すフローチャートである。
【０１２１】
景品管理装置１００は、景品連番バーコード８２を検索キーにして景品登録情報１０７を検索する（Ｓ６０１）。
【０１２２】
検索キーに一致する登録データが景品登録情報１０７に無い場合（Ｓ６０２ＮＯ）、リジェクト景品８１を不正とみなす（Ｓ６０９）。
【０１２３】
検索キーに一致する登録データが景品登録情報１０７にある場合（Ｓ６０２ＹＥＳ）、景品管理装置１００は、景品連番バーコード８２を検索キーにして景品払い出し情報１０８を検索する（Ｓ６０３）。
【０１２４】
検索キーに一致する登録データが景品払い出し情報１０８に無い場合（６０４ＹＥＳ）、景品管理装置１００は、リジェクト景品８１を不正な景品とみなす（Ｓ６０９）。
【０１２５】
検索キーに一致する登録データが景品払い出し情報１０８にある場合（Ｓ６０４ＮＯ）、景品管理装置１００は、検索キーに一致した該当レコードの登録内容を参照して買い取り済みの特殊景品であるか否かを判断する（Ｓ６０５）。
【０１２６】
買い取り済みの場合（Ｓ６０５ＹＥＳ）、景品管理装置１００は、リジェクト景品８１を不正とみなす（Ｓ６０９）。
【０１２７】
買い取り済みでない場合（Ｓ６０５ＮＯ）、景品管理装置１００は、検索キーにて景品読み取り情報１０９を検索する（Ｓ６０６）。
【０１２８】
景品連番バーコード８２に一致する登録データがあって、かつ、登録データに記録されたリジェクト理由に、『ＩＣチップ不読によるリジェクト』した内容が記録されている場合（Ｓ６０７ＹＥＳ）、景品管理装置１００は、リジェクト景品８１は、事故によるＩＣチップ不読の可能性が高いと判断して、正規に払い出しが行われた特殊景品とみなす（  Ｓ６０８）。
【０１２９】
一方、景品読み取り情報１０９にて景品連番バーコード８２の検索キーに一致する登録データが無い場合、あるいは、一致する登録データがあっても別のリジェクト理由が記録されている場合（Ｓ６０７ＮＯ）、景品管理装置１００は、リジェクト景品８１を不正とみなす（Ｓ６０９）。
【０１３０】
景品管理装置１００は、真偽判定の結果および、ステップＳ６０１、ステップＳ６０３、ステップＳ６０６の検索処理において、検索キーに一致した登録データの内容を、景品検査装置に通知する応答データを作成する（Ｓ６１０）。
【０１３１】
次に、景品管理装置１００における特殊景品８０の自動発注処理の動作例を図１５のフローチャートに示して説明する。
【０１３２】
景品管理装置１００は、景品管理装置記憶部１０２に記憶した在庫数監視のスケジュールに基づいて特殊景品８０の在庫確認処理の開始時刻を監視する（Ｓ７０１ＮＯ）。
【０１３３】
在庫確認処理の開始時刻への到達を検知すると（Ｓ７０１ＹＥＳ）、景品管理装置１００は、景品管理ＤＢ１０６にて管理される景品登録情報１０７に基づいて、特殊景品８０の登録数、景品払出情報１０８にて払い出し済みの特殊景品８０の数を集計して、特殊景品８０の在庫数を金種毎に計算する（Ｓ７０２）。
【０１３４】
次に、景品管理装置記憶部１０２の景品発注メール設定情報１１１から、発注メール作成および送信処理の要否を判定する時に使用する金種別に設定されたしきい値を読み取り、ステップＳ７０２にて計算した在庫数が読み取ったしきい値を下回っていないか金種毎に判断する（Ｓ７０３）。
【０１３５】
在庫数がしきい値を下回った金種がある場合（Ｓ７０４ＹＥＳ）、景品管理装置１００は、発注メール設定情報１１１に設定された所定数の特殊景品を発注するメールを作成し（Ｓ７０５）、作成した発注メールを景品問屋６１宛に送信する（Ｓ７０６）。
【０１３６】
一方、ステップＳ７０２にて計算した在庫数が所定の値よりも大きい場合（Ｓ７０４ＮＯ）、景品管理装置１００は、次の在庫数監視時期を監視する。  
なお、図１５に示したフローチャートでは、在庫数を監視する例を示したが、これ以外に、景品払い出し装置２００にて払い出しが行われた特殊景品８０の払い出し数から景品読み取り装置４００にて買い取り済みとなった特殊景品８０の買い取り数を引いた値（持ち出し数）が所定の値以上となる場合に、特殊景品８０の発注処理を行うようにしてもよい。
【０１３７】
なお、上記実施例以外に、景品管理装置１００における特殊景品８０の自動発注処理は、発注メールを利用する以外に、景品管理装置操作表示部１０４に警告メッセージを表示して報知し、管理者などに発注操作を促すようにしてもよい。また、メール以外に、ファクシミリ通信を利用して自動発注するようにしてもよい。
【０１３８】
景品管理装置１００は、遊技場に設置される例を示したが、これ以外に、景品管理装置１００は、各遊技場の識別コードを設定登録して管理するともに、景品払い出し装置、景品検査装置とデータ通信を行うための装置名を含むアクセス情報と遊技場の識別コードと対応付けて記録管理し、景品管理ＤＢ１０６にて管理する景品登録情報１０７、景品払い出し情報１０８、景品読み取り情報１０９、代替景品払い出し情報１１０に対するレコードの登録指示を行った景品払い出し装置、あるいは、景品検査装置の識別情報から対応する遊技場の識別コードを特定し、特定した遊技場の識別コードを付加した形式にて景品管理ＤＢ１０６にそれぞれ登録する構成にして、景品管理装置１００が複数の遊技場６０に共有接続される構成にして遊技場別に特集景品の流通状況、在庫状況、持ち出し状況を管理できるようにしてもよい。
【産業上の利用可能性】
【０１３９】
本発明の景品管理システムは、ＩＣチップが設けられた特殊景品を取り扱う景品交換システムにて利用可能であり、特に、景品払い出し装置にて特殊景品の払い出し処理が行われてから、景品読み取り装置によって買い取り処理がおこなわれるまでの間における特殊景品の状態を管理するとともに、事故によってＩＣチップの読み取りができなくなった特殊景品の真偽チェック、特殊景品の在庫数、持ち出し数の管理に有効である。
【図面の簡単な説明】
【０１４０】
【図１】本願発明の特殊景品管理システムの構成例を示すブロック図。
【図２】特殊景品の例を示す図。
【図３】図１に示した、景品管理装置、景品払い出し装置、景品読み取り装置、景品検査装置の内部構成を示すブロック図。
【図４】景品管理装置の景品管理ＤＢにて管理される景品登録情報（Ａデータ）の例を示す図。
【図５】景品管理装置の景品管理ＤＢにて管理される景品払い出し情報（Ｂデータ）の例を示す図。
【図６】景品管理装置の景品管理ＤＢにて管理される景品読み取り情報（Ｃデータ）の例を示す図。
【図７】景品管理装置の景品管理ＤＢにて管理される代替景品払い出し情報（Ｄデータ）の例を示す図。
【図８】景品読み取り装置および景品管理装置における特殊景品の登録処理の動作例を示すフローチャート。
【図９】景品払い出し装置および景品管理装置における特殊景品の払い出し処理の動作例を示すフローチャート。
【図１０】特殊景品読み取り装置および景品管理装置における特殊景品の買い取り処理の動作例を示すフローチャート。
【図１１】景品検査装置および景品検査装置における特殊景品の検査処理の動作例を示すフローチャート。
【図１２】ＩＣチップが読み取れた時の特殊景品の真偽判定処理の動作例を示すフローチャート。
【図１３】ＩＣチップ読み取れなかった時の特殊景品の真偽判定処理の動作例を示すフローチャート。
【図１４】景品検査装置の操作表示部に表示される特殊景品の照会結果画面、代替特殊景品払い出し操作画面の例を示す図。
【図１５】景品管理装置における特殊景品のメールによる発注処理の動作例を示すフローチャート。
【符号の説明】
【０１４１】
１００    景品管理装置
１０１    景品管理装置制御部
１０２    景品管理装置記憶部
１０３    記録媒体読み取り部
１０４    景品管理装置操作表示部
１０５    景品管理装置通信制御部
１０６    景品管理ＤＢ
１０７    景品登録情報（Ａデータ）
１０８    景品払い出し情報（Ｂデータ）
１０９    景品読み取り情報（Ｃデータ）
１１０    代替景品払い出し情報（Ｄデータ）
１１１    景品発注メール設定情報
１１２    景品読み取り可能有効期間
１０１１    特殊景品発注管理部
１０１２    データベース管理部
２００    景品払い出し装置
２０１    景品払い出し装置制御部
２０２    景品払い出し装置ＩＣチップＲ/Ｗ
２０３    景品払い出し装置通信制御部
２０４    景品払い出し装置操作表示部
２０５    景品払い出し装置記憶部
２０６    景品払い出し装置景品連番バーコード読み取り部
３００    景品検査装置
３０１    景品検査装置制御部
３０２    景品検査装置記憶部
３０３    景品検査装置通信制御部
３０４    景品検査装置バーコード読み取り部
３０５    景品検査装置ＩＣチップ読み取り部
３０６    景品検査装置操作表示部
４００    景品読み取り装置
４０１    景品読み取り装置制御部
４０２    景品読み取り装置記憶部
４０３    景品読み取り装置表示部
４０４    景品読み取り装置ＩＣチップＲ/Ｗ
４０５    景品読み取り装置バーコード読み取り部
４０６    景品検査装置通信制御部
５０    ネットワーク
６０    遊技場
６１    特殊景品問屋
６２    遊技媒体計数装置
６３    遊技台
６５    景品発注メール
７０    景品交換場
８０    特殊景品
８１    リジェクト景品
８２    景品連番バーコード
８３    代替特殊景品
９０    ＩＣチップ
９１    ＩＣチップメモリ
９１１    ＵＩＤ
９１２    バーコード情報
９１３    金種情報
９１４    景品払い出し日時
９１５    払い出し済みフラグ
【図１】
0004798702.tif 000002
【図２】
0004798702.tif 000003
【図３】
0004798702.tif 000004
【図４】
0004798702.tif 000005
【図５】
0004798702.tif 000006
【図６】
0004798702.tif 000007
【図７】
0004798702.tif 000008
【図８】
0004798702.tif 000009
【図９】
0004798702.tif 000010
【図１０】
0004798702.tif 000011
【図１１】
0004798702.tif 000012
【図１２】
0004798702.tif 000013
【図１３】
0004798702.tif 000014
【図１４】
0004798702.tif 000015
【図１５】
0004798702.tif 000016